(57)【要約】【課題】望遠撮影時に所望の被写体に照準することができる表示装置および撮像装置を提供する。【解決手段】表示装置は、レンズ部３に関する情報を表示可能な内蔵表示部２１５ａと、撮像装置１の被写体領域からの光を透過するとともに、撮像装置１の被写体領域内に内蔵表示部２１５ａが表示するレンズ部３に関する情報の虚像を生じさせる光学素子２１５ｂと、を備える。【選択図】図３
2014224861.tif 000002
【特許請求の範囲】
【請求項１】
被写体と対向する前面側に設けられた撮像光学系を備えた表示装置であって、
前記撮像光学系に関する情報を表示可能な表示部と、
前記撮像光学系が集光する視野領域からの光を透過するとともに、前記視野領域からの光を透過する領域に前記情報の虚像を生じさせる光学素子と、
を備えたことを特徴とする表示装置。
【請求項２】
前記撮像光学系は、画角を変更可能なズーム光学系を有し、
前記情報は、少なくとも前記撮像光学系の画角に関する画角情報を含むことを特徴とする請求項１に記載の表示装置。
【請求項３】
請求項１または２に記載の表示装置と、
前記撮像光学系が前記視野領域から集光した光を受光して光電変換を行うことによって画像データを生成する撮像部と、
前記撮像部が生成した前記画像データに対応する画像を前記表示部に表示させる表示制御部と、
を備えたことを特徴とする撮像装置。
【請求項４】
前記表示制御部は、前記画像を縮小して前記表示部に表示させることを特徴とする請求項３に記載の撮像装置。
【請求項５】
前記光学素子の前面側に設けられ、前記視野領域からの光の一部を遮光する遮光部をさらに備え、
前記表示制御部は、前記遮光部が設けられた領域に対応する前記表示部の表示領域に前記画像を縮小して表示させることを特徴とする請求項３または４に記載の撮像装置。
【請求項６】
前記光学素子の前面側に設けられ、前記視野領域からの光を遮光する遮光状態と透過する透過状態とを切り替え可能な遮光部と、
前記遮光部を駆動する遮光駆動部と、
前記視野領域からの光を遮光する指示信号の入力を受け付ける入力部と、
前記入力部から前記指示信号が入力された場合、前記遮光駆動部を駆動させて前記遮光部に前記視野領域からの光を遮光させる遮光制御部と、
を備え、
前記表示制御部は、前記遮光部が前記視野領域からの光を遮光する場合、前記画像を前記表示部に全画面表示させることを特徴とする請求項３または４に記載の撮像装置。
【請求項７】
前記撮像光学系の画角を算出する画角算出部をさらに備え、
前記表示制御部は、前記画角算出部が算出した前記画角に対応する大きさで前記情報を前記表示部に表示させることを特徴とする請求項３〜６のいずれか一つに記載の撮像装置。
【請求項８】
複数のランドマークそれぞれの名称、位置情報および方位情報を含むランドマーク情報を記録するランドマーク情報記録部と、
当該撮像装置の位置情報を検出する位置情報検出部と、
前記撮像光学系の光軸が略水平になる場合において、前記撮像光学系の光軸が前記視野領域を向いた方向を基準方位としたときの当該撮像装置の方位情報を検出する方位検出部と、
前記位置情報検出部が検出した前記位置情報と前記方位検出部が検出した前記方位情報とに基づいて、前記視野領域内のランドマークを前記ランドマーク情報記録部から検索するランドマーク検索部と、
を備え、
前記表示制御部は、前記ランドマーク検索部が検出したランドマークに関するランドマーク情報を前記表示部に表示させることを特徴とする請求項３〜７のいずれか一つに記載の撮像装置。
【請求項９】
前記撮像部が生成した前記画像データに対応する画像を表示する背面表示部と、
当該撮像装置に対する撮影者の近接を検出する検出部と、
をさらに備え、
前記表示制御部は、前記検出部が前記撮影者の近接を検出した場合、前記表示部に前記画像を表示させる一方、前記検出部が前記撮影者の近接を検出しない場合、前記背面表示部に前記画像を表示させることを特徴とする請求項３〜８のいずれか一つに記載の撮像装置。
【発明の詳細な説明】
【技術分野】
【０００１】
本発明は、画像データを表示可能な表示装置および被写体を撮像して該被写体の画像データを生成する撮像装置に関する。
【背景技術】
【０００２】
従来、カメラ機能を備えた携帯電話において、カメラの撮像範囲を確認するための光学照準部を設け、撮影者が自分撮りを行う際に、光学照準部から射出される光束に応じて、撮影者にカメラの撮像範囲を把握させる技術が知られている（特許文献１参照）。
【先行技術文献】
【特許文献】
【０００３】
【特許文献１】特開２００１−１３６４９９号公報
【発明の概要】
【発明が解決しようとする課題】
【０００４】
しかしながら、上述した特許文献１では、光学照準部が撮影者の自分撮り用のため、望遠撮影時に所望の被写体に対して照準することが難しかった。
【０００５】
本発明は、上記に鑑みてなされたものであって、望遠撮影時に所望の被写体に対して容易に照準することができる表示装置および撮像装置を提供することを目的とする。
【課題を解決するための手段】
【０００６】
上述した課題を解決し、目的を達成するために、本発明にかかる表示装置は、被写体と対向する前面側に設けられた撮像光学系を備えた表示装置であって、前記撮像光学系に関する情報を表示可能な表示部と、前記撮像光学系が集光する視野領域からの光を透過するとともに、前記視野領域からの光を透過する領域に前記情報の虚像を生じさせる光学素子と、を備えたことを特徴とする。
【０００７】
また、本発明にかかる表示装置は、上記発明において、前記撮像光学系は、画角を変更可能なズーム光学系を有し、前記情報は、少なくとも前記撮像光学系の画角に関する画角情報を含むことを特徴とする。
【０００８】
また、本発明にかかる撮像装置は、上記の表示装置と、前記撮像光学系が前記視野領域から集光した光を受光して光電変換を行うことによって画像データを生成する撮像部と、
前記撮像部が生成した前記画像データに対応する画像を前記表示部に表示させる表示制御部と、を備えたことを特徴とする。
【０００９】
また、本発明にかかる撮像装置は、上記発明において、前記表示制御部は、前記画像を縮小して前記表示部に表示させることを特徴とする。
【００１０】
また、本発明にかかる撮像装置は、上記発明において、前記光学素子の前面側に設けられ、前記視野領域からの光の一部を遮光する遮光部をさらに備え、前記表示制御部は、前記遮光部が設けられた領域に対応する前記表示部の表示領域に前記画像を縮小して表示させることを特徴とする。
【００１１】
また、本発明にかかる撮像装置は、上記発明において、前記光学素子の前面側に設けられ、前記視野領域からの光を遮光する遮光状態と透過する透過状態とを切り替え可能な遮光部と、前記遮光部を駆動する遮光駆動部と、前記視野領域からの光を遮光する指示信号の入力を受け付ける入力部と、前記入力部から前記指示信号が入力された場合、前記遮光駆動部を駆動させて前記遮光部に前記視野領域からの光を遮光させる遮光制御部と、を備え、前記表示制御部は、前記遮光部が前記視野領域からの光を遮光する場合、前記画像を前記表示部に全画面表示させることを特徴とする。
【００１２】
また、本発明にかかる撮像装置は、上記発明において、前記撮像光学系の画角を算出する画角算出部をさらに備え、前記表示制御部は、前記画角算出部が算出した前記画角に対応する大きさで前記情報を前記表示部に表示させることを特徴とする。
【００１３】
また、本発明にかかる撮像装置は、上記発明において、複数のランドマークそれぞれの名称、位置情報および方位情報を含むランドマーク情報を記録するランドマーク情報記録部と、当該撮像装置の位置情報を検出する位置情報検出部と、前記撮像光学系の光軸が略水平になる場合において、前記撮像光学系の光軸が前記視野領域を向いた方向を基準方位としたときの当該撮像装置の方位情報を検出する方位検出部と、前記位置情報検出部が検出した前記位置情報と前記方位検出部が検出した前記方位情報とに基づいて、前記視野領域内のランドマークを前記ランドマーク情報記録部から検索するランドマーク検索部と、を備え、前記表示制御部は、前記ランドマーク検索部が検出したランドマークに関するランドマーク情報を前記表示部に表示させることを特徴とする。
【００１４】
また、本発明にかかる装置は、上記発明において、前記撮像部が生成した前記画像データに対応する画像を表示する背面表示部と、当該撮像装置に対する撮影者の近接を検出する検出部と、をさらに備え、前記表示制御部は、前記検出部が前記撮影者の近接を検出した場合、前記表示部に前記画像を表示させる一方、前記検出部が前記撮影者の近接を検出しない場合、前記背面表示部に前記画像を表示させることを特徴とする。
【発明の効果】
【００１５】
本発明によれば、望遠撮影時に所望の被写体に照準することができるという効果を奏する。
【図面の簡単な説明】
【００１６】
【図１】図１は、本発明の実施の形態１にかかる撮像装置の被写体に面する側の構成を示す図である。
【図２】図２は、本発明の実施の形態１にかかる撮像装置のユーザに面する側の構成を示す図である。
【図３】図３は、本発明の実施の形態１にかかる撮像装置の機能構成を示すブロック図である。
【図４】図４は、本発明の実施の形態１にかかる撮像装置が実行する処理の概要を示すフローチャートである。
【図５Ａ】図５Ａは、本発明の実施の形態１にかかる撮像装置の背面表示部が表示するライブビュー画像を見ながら被写体のフレーミングを行う際の状況を模式的に示す図である。
【図５Ｂ】図５Ｂは、本発明の実施の形態１にかかる撮像装置の背面表示部が表示するライブビュー画像を見ながら広角で被写体のフレーミングを行う際の状況を模式的に示すである。
【図５Ｃ】図５Ｃは、本発明の実施の形態１にかかる撮像装置の背面表示部が表示するライブビュー画像を見ながら被写体を撮影した際の状況を模式的に示す図である。
【図６】図６は、本発明の実施の形態１にかかる撮像装置の接眼表示部で被写体のフレーミングを確認しながら撮影を行う際の状況を模式的に示す図である。
【図７】図７は、本発明の実施の形態１にかかる撮像装置の内蔵表示部が表示する画像の一例を示す図である。
【図８】図８は、撮影者が接眼表示部を介して視認する画像の一例を示す図である。
【図９】図９は、本発明の実施の形態２にかかる撮像装置の機能構成を示すブロック図である。
【図１０】図１０は、本発明の実施の形態２にかかる撮像装置が実行する処理の概要を示すフローチャートである。
【図１１】図１１は、本発明の実施の形態２にかかる撮像装置の接眼表示部で被写体のフレーミングを確認しながら撮影を行う際の状況を模式的に示す図である。
【図１２】図１２は、図１１に示す状況下において撮影者が接眼表示部を介して視認する画像の一例を示す図である。
【図１３】図１３は、本発明の実施の形態２にかかる撮像装置の接眼表示部で被写体のフレーミングを確認しながら撮影を行う際の状況を模式的に示す図である。
【図１４】図１４は、図１３に示す状況下において撮影者が接眼表示部を介して視認する画像の一例を示す図である。
【図１５】図１５は、本発明の実施の形態３にかかる撮像装置の機能構成を示すブロック図である。
【図１６】図１６は、本発明の実施の形態３にかかる撮像装置が実行する処理の概要を示すフローチャートである。
【図１７】図１７は、撮影者が接眼表示部を介して視認する画像の一例を示す図である。
【発明を実施するための形態】
【００１７】
以下、図面を参照して、本発明を実施するための形態（以下、「実施の形態」という）について説明する。なお、以下の実施の形態によって本発明が限定されるものではない。また、図面の記載において、同一の部分には同一の符号を付して説明する。
【００１８】
（実施の形態１）
図１は、本発明の実施の形態１にかかる撮像装置の被写体に面する側（前面側）の構成を示す図である。図２は、本発明の実施の形態１にかかる撮像装置のユーザに面する側（背面側）の構成を示す図である。図３は、本発明の実施の形態１にかかる撮像装置の機能構成を示すブロック図である。
【００１９】
図１〜図３に示す撮像装置１は、本体部２と、本体部２に着脱自在であり、所定の視野領域から光を集光するとともに、光学ズームが可能なレンズ部３と、を備える。なお、本実施の形態１では、レンズ部３が撮像光学系として機能する。
【００２０】
まず、本体部２について説明する。本体部２は、シャッタ２０１と、シャッタ駆動部２０２と、撮像素子２０３と、撮像素子駆動部２０４と、信号処理部２０５と、Ａ／Ｄ変換部２０６と、画像処理部２０７と、ＡＥ処理部２０８と、ＡＦ処理部２０９と、画像圧縮展開部２１０と、入力部２１１と、位置情報検出部２１２と、方位検出部２１３と、モーション検出部２１４と、接眼表示部２１５と、アイセンサ２１６と、背面表示部２１７と、時計２１８と、記録媒体２１９と、メモリＩ／Ｆ２２０と、ＳＤＲＡＭ（Synchronous  Dynamic  Random  Access  Memory）２２１と、Ｆｌａｓｈメモリ２２２と、本体通信部２２３と、バス２２４と、本体制御部２２５と、を備える。
【００２１】
シャッタ２０１は、撮像素子２０３の状態を露光状態または遮光状態に設定する。シャッタ２０１は、レンズシャッタまたはフォーカルプレーンシャッタを用いて構成される。
【００２２】
シャッタ駆動部２０２は、本体制御部２２５から入力される指示信号に応じてシャッタ２０１を駆動する。シャッタ駆動部２０２は、ステッピングモータやＤＣモータ等を用いて構成される。
【００２３】
撮像素子２０３は、レンズ部３が集光した光を受光して光電変換を行うことによって電子的な画像データを生成する。具体的には、撮像素子２０３は、レンズ部３が集光した光を受光して電気信号に変換するＣＣＤ（Charge  Coupled  Device）またはＣＭＯＳ（Complementary  Metal  Oxide  Semiconductor）等を用いて構成され、被写体の画像データを生成する。撮像素子駆動部２０４は、所定のタイミングで撮像素子２０３から画像データ（アナログ信号）を信号処理部２０５へ出力させる。この意味で、撮像素子駆動部２０４は、電子シャッタとして機能する。また、撮像素子駆動部２０４は、本体制御部２２５の制御のもと、撮像素子２０３に所定のフレームレート（たとえば３０ｆｐｓまたは６０ｆｐｓ）で画像データを出力させる。さらに、撮像素子駆動部２０４は、本体制御部２２５の制御のもと、撮像素子２０３の所定のライン、たとえば偶数ラインや奇数ラインを間引くことで、撮像素子２０３に高速フレームレート（たとえば１２０ｆｐｓ）で画像データを信号処理部２０５に出力させる。
【００２４】
信号処理部２０５は、撮像素子２０３から入力される画像データに対して、リセットノイズ低減処理、波形整形処理およびゲインアップ処理等のアナログ処理を施してＡ／Ｄ変換部２０６へ出力する。
【００２５】
Ａ／Ｄ変換部２０６は、信号処理部２０５から入力されるアナログの画像データに対してＡ／Ｄ変換を行うことによってデジタルの画像データ（ＲＡＷデータ）を生成し、バス２２４を介してＳＤＲＡＭ２２１へ出力する。
【００２６】
画像処理部２０７は、バス２２４を介してＳＤＲＡＭ２２１から画像データ（ＲＡＷデータ）を取得し、取得した画像データに対して各種の画像処理を施してＳＤＲＡＭ２２１へ出力する。ここで、画像処理としては、オプティカルブラック低減処理、ホワイトバランス調整処理、カラーマトリクス演算処理、ガンマ補正処理、色再現処理、エッジ強調処理、複数の画像データを合成する合成処理および撮像素子２０３がベイヤー配列の場合には画像データの同時化処理等である。
【００２７】
ＡＥ処理部２０８は、バス２２４を介してＳＤＲＡＭ２２１に記録された画像データを取得し、取得した画像データに基づいて、撮像装置１が静止画撮影または動画撮影を行う際の露出条件を設定する。具体的には、ＡＥ処理部２０８は、画像データから輝度を算出し、算出した輝度に基づいて、たとえば絞り値、シャッタ速度、ＩＳＯ感度等を決定することで撮像装置１の自動露出を行う。
【００２８】
ＡＦ処理部２０９は、バス２２４を介してＳＤＲＡＭ２２１に記録された画像データを取得し、取得した画像データに基づいて、自動的に撮像装置１の焦点の調整を行う。たとえば、ＡＦ処理部２０９は、画像データから高周波成分の信号を取り出し、高周波成分の信号に対してＡＦ（Auto  Focus）演算処理を行うことによって、撮像装置１の合焦評価を決定することで撮像装置１の焦点の調整を自動で行う。なお、ＡＦ処理部２０９は、瞳分割位相差法を用いて撮像装置１の焦点の調整を自動で行ってもよい。
【００２９】
画像圧縮展開部２１０は、バス２２４を介してＳＤＲＡＭ２２１から画像データを取得し、取得した画像データに対して所定の形式に従って圧縮し、この圧縮した画像データをメモリＩ／Ｆ２２０を介して記録媒体２１９へ出力する。ここで、所定の形式としては、ＪＰＥＧ（Joint  Photographic  Experts  Group）方式、ＭｏｔｉｏｎＪＰＥＧ方式およびＭＰ４（Ｈ．２６４）方式等である。また、画像圧縮展開部２１０は、バス２２４およびメモリＩ／Ｆ２２０を介して記録媒体２１９に記録された画像データ（圧縮画像データ）を取得し、取得した画像データを展開（伸長）してＳＤＲＡＭ２２１へ出力する。
【００３０】
入力部２１１は、撮像装置１の電源状態をオン状態またはオフ状態に切り替える電源スイッチ２１１ａと、静止画撮影の指示を与える静止画レリーズ信号の入力を受け付けるレリーズスイッチ２１１ｂと、撮像装置１の各種設定を切り替えるモードスイッチ２１１ｃと、撮像装置１の各種設定を背面表示部２１７に表示させるメニュースイッチ２１１ｄと、動画撮影の指示を与える動画レリーズ信号の入力を受け付ける動画スイッチ２１１ｅと、記録媒体２１９に記録された画像データを再生する指示信号の入力を受け付ける再生スイッチ２１１ｆと、背面表示部２１７の表示画面に重畳して設けられ、外部からの接触位置に応じた位置信号の入力を受け付けるタッチパネル２１１ｇと、を有する。レリーズスイッチ２１１ｂは、外部からの押圧により進退可能であり、半押しされた場合に撮影準備動作を指示する指示信号のファーストレリーズ信号の入力を受け付ける一方、全押しされた場合に静止画撮影を指示するセカンドレリーズ信号の入力を受け付ける。
【００３１】
位置情報検出部２１２は、地上の物体の位置を測位する測定手段であるＧＰＳ（Global  Positioning  System）を構成する複数のＧＰＳ衛星から送信されてくる衛星の軌道情報を受信し、この受信した軌道情報に基づいて、撮像装置１の位置情報を検出する。この位置情報は、経度、緯度および時刻情報である。
【００３２】
方位検出部２１３は、レンズ部３の光軸Ｏ１が略水平になる場合において、レンズ部３の光軸Ｏ１が視野領域を向いた方向を基準方位としたときの撮像装置１の方位を方位情報として検出する。具体的には、方位検出部２１３は、地磁気の垂直方向と水平方向の成分を検出し、北を基準とする基準方位と撮像装置１の光軸Ｏ１とがなす角度を方位角として検出することによって、撮像装置１の方位を検出する。方位検出部２１３は、磁気方位センサ等によって構成される。
【００３３】
モーション検出部２１４は、撮像装置１に生じる加速度を検出することによって、水平面に対する撮像装置１の傾斜角度を検出し、この検出結果を本体制御部２２５へ出力する。具体的には、モーション検出部２１４は、ユーザが撮像装置１に対してチルト操作（あおり操作）を行った場合、水平面に対する撮像装置１の極座標を傾斜角度として検出する。モーション検出部２１４は、各軸方向の加速度成分をそれぞれ検出する３軸の加速度センサおよびジャイロセンサ等を用いて構成される。
【００３４】
接眼表示部２１５は、本体制御部２２５の制御のもと、バス２２４を介してＳＤＲＡＭ２２１に記録された画像データに対応する画像を表示するとともに、撮像装置１の視野領域からの光を透過する。なお、本発明の形態１では、接眼表示部２１５が表示装置として機能する。
【００３５】
ここで、接眼表示部２１５の詳細な構成について説明する。接眼表示部２１５は、内蔵表示部２１５ａと、光学素子２１５ｂと、接眼部２１５ｃと、遮光部２１５ｄと、を有する。
【００３６】
内蔵表示部２１５ａは、本体制御部２２５の制御のもと、バス２２４を介してＳＤＲＡＭ２２１に記録された画像データに対応する画像、または撮像素子２０３が連続的に生成する画像データに対応するライブビュー画像を表示する。また、内蔵表示部２１５ａは、レンズ部３に関する情報を表示する。具体的には、内蔵表示部２１５ａは、レンズ部３の画角に関する画角情報および／またはレンズ部３の画角の中心を含む中心情報を表示する。たとえば、内蔵表示部２１５ａは、レンズ部３の画角に対応する画像情報を枠で表示する。内蔵表示部２１５ａは、液晶または有機ＥＬ（Electro  Luminescence）からなる表示パネルおよび駆動ドライバ等を用いて構成される。なお、本実施の形態１では、内蔵表示部２１５ａが表示部として機能する。
【００３７】
光学素子２１５ｂは、レンズ部３が集光する視野領域からの光を透過するとともに、この視野領域を透過する領域に内蔵表示部２１５ａが表示する情報の虚像を生じさせる。具体的には、光学素子２１５ｂは、撮像装置１の視野領域からの光を透過するとともに、内蔵表示部２１５ａが表示する画像を接眼部２１５ｃに向けて反射することによって撮像装置１の視野領域内に内蔵表示部２１５ａが表示する画像の虚像を生じさせる。また、光学素子２１５ｂは、内蔵表示部２１５ａが表示するレンズ部３の画角に対応する枠および／またはレンズ部３の画角の中心を示す光束の虚像を撮像装置１の視野領域または視野領域付近に生じさせる。光学素子２１５ｂは、背面側に向けて湾曲して形成されたハーフミラーまたは特定の波長の光を反射する誘電多層膜が設けられたミラーによって構成される。
【００３８】
接眼部２１５ｃは、光学素子２１５ｂからの光を透過させる。具体的には、接眼部２１５ｃは、平行レンズ、ガラスおよびプラスチック等を用いて構成される。
【００３９】
遮光部２１５ｄは、光学素子２１５ｂの前面側に設けられ、撮像装置１の視野領域からの光の一部を遮光する。遮光部２１５ｄは、遮光部材を用いて構成される。
【００４０】
このように構成された接眼表示部２１５は、電子ビューファインダ（ＥＶＦ）として機能するとともに、照準器としても機能する。
【００４１】
アイセンサ２１６は、接眼表示部２１５に対するユーザの近接を検出し、この検出結果を本体制御部２２５へ出力する。アイセンサ２１６は、接触センサや赤外線センサ等を用いて構成される。なお、本実施の形態１では、アイセンサ２１６が検出部として機能する。
【００４２】
背面表示部２１７は、本体制御部２２５の制御のもと、画像データに対応する画像を表示する。背面表示部２１７は、液晶または有機ＥＬ等からなる表示パネルおよび表示駆動ドライバ等を用いて構成される。ここで、画像の表示には、撮影直後の画像データを所定時間（たとえば３秒）だけ表示する確認表示、記録媒体２１９に記録された画像データを再生する再生表示、および撮像素子２０３が時間的に連続して生成する画像データに対応するライブビュー画像を時系列に沿って順次表示するライブビュー表示等が含まれる。また、背面表示部２１７は、撮像装置１の操作情報および撮影に関する情報を適宜表示する。
【００４３】
時計２１８は、計時機能および撮影日時の判定機能を有する。時計２１８は、撮像素子２０３によって撮像された画像データに日時データを付加するため、日時データを本体制御部２２５へ出力する。
【００４４】
記録媒体２１９は、撮像装置１の外部から装着されるメモリカード等を用いて構成される。記録媒体２１９は、メモリＩ／Ｆ２２０を介して撮像装置１に着脱自在に装着される。記録媒体２１９には、ＲＡＷデータ、および画像処理部２０７または画像圧縮展開部２１０が処理を施した画像データが書き込まれる。また、記録媒体２１９は、本体制御部２２５によって記録された画像データが読み出される。
【００４５】
ＳＤＲＡＭ２２１は、バス２２４を介してＡ／Ｄ変換部２０６から入力される画像データ、画像処理部２０７から入力される画像データおよび撮像装置１の処理中の情報を一時的に記録する。たとえば、ＳＤＲＡＭ２２１は、信号処理部２０５、Ａ／Ｄ変換部２０６およびバス２２４を介して撮像素子２０３が１フレーム毎に順次出力する画像データを一時的に記録する。
【００４６】
Ｆｌａｓｈメモリ２２２は、プログラム記録部２２２ａを有する。プログラム記録部２２２ａは、撮像装置１を動作させるための各種プログラムおよびプログラムの実行中に使用される各種データおよび画像処理部２０７による画像処理の動作に必要な各画像処理のパラメータ等を記録する。
【００４７】
本体通信部２２３は、本体部２に装着されるレンズ部３との通信を行うための通信インターフェースである。本体通信部２２３には、レンズ部３との電気的な接点も含まれる。
【００４８】
バス２２４は、撮像装置１の各構成部位を接続する伝送路等を用いて構成される。バス２２４は、撮像装置１の内部で発生した各種データを撮像装置１の各構成部に転送する。
【００４９】
本体制御部２２５は、入力部２１１からの指示信号に応じて撮像装置１を構成する各部に対する指示やデータの転送等を行って撮像装置１の動作を統括的に制御する。本体制御部２２５は、ＣＰＵ（Central  Processing  Unit）等を用いて構成される。
【００５０】
ここで、本体制御部２２５の詳細な構成について説明する。本体制御部２２５は、画角算出部２２５ａと、撮像制御部２２５ｂと、表示制御部２２５ｃと、を有する。
【００５１】
画角算出部２２５ａは、本体通信部２２３およびバス２２４を介して本体部２に接続されたレンズ部３のレンズ情報に基づいて、撮像装置１の画角を算出する。具体的には、画角算出部２２５ａは、レンズ部３のレンズ情報に含まれる現在の焦点距離情報に基づいて、レンズ部３の現在の画角を算出する。
【００５２】
撮像制御部２２５ｂは、レリーズスイッチ２１１ｂからセカンドレリーズ信号が入力された場合、撮像装置１における静止画撮影動作を開始する制御を行う。ここで、撮像装置１における静止画撮影動作とは、シャッタ駆動部２０２および撮像素子駆動部２０４の駆動によって撮像素子２０３が出力した画像データに対し、信号処理部２０５、Ａ／Ｄ変換部２０６および画像処理部２０７が所定の処理を施す動作をいう。このように処理が施された画像データは、撮像制御部２２５ｂの制御のもと、画像圧縮展開部２１０で所定の形式に従って圧縮され、バス２２４およびメモリＩ／Ｆ２２０を介して記録媒体２１９に記録される。また、撮像制御部２２５ｂは、動画スイッチ２１１ｅから動画撮影レリーズ信号が入力された場合、撮像装置１における動作撮影動作を開始する制御を行う。
【００５３】
表示制御部２２５ｃは、内蔵表示部２１５ａおよび背面表示部２１７の表示態様を制御する。具体的には、表示制御部２２５ｃは、撮像素子２０３が生成した画像データに対応する画像を内蔵表示部２１５ａまたは背面表示部２１７に表示させる。
【００５４】
以上の構成を有する本体部２に対して、音声入出力機能、フラッシュ機能および外部と双方向に通信可能な通信機能等を具備させてもよい。
【００５５】
つぎに、レンズ部３について説明する。レンズ部３は、ズーム光学系３０１と、ズーム駆動部３０２と、ズーム位置検出部３０３と、絞り３０４と、絞り駆動部３０５と、絞り値検出部３０６と、フォーカス光学系３０７と、フォーカス駆動部３０８と、フォーカス位置検出部３０９と、レンズ操作部３１０と、レンズＦｌａｓｈメモリ３１１と、レンズ通信部３１２と、レンズ制御部３１３と、を備える。なお、本実施の形態１では、レンズ部３が撮像光学系として機能する。
【００５６】
ズーム光学系３０１は、一または複数のレンズを用いて構成され、レンズ部３の光軸Ｏ１上に沿って移動することにより、レンズ部３の光学ズームの倍率（画角）を変更する。たとえば、ズーム光学系３０１は、焦点距離を１２ｍｍ〜６００ｍｍの間で変更することができる。
【００５７】
ズーム駆動部３０２は、レンズ制御部３１３の制御のもと、ズーム光学系３０１を光軸Ｏ１上に沿って移動させることにより、撮像装置１の光学ズームの変更を行う。ズーム駆動部３０２は、ＤＣモータまたはステッピングモータ等を用いて構成される。
【００５８】
ズーム位置検出部３０３は、光軸Ｏ１上におけるズーム光学系３０１の位置を検出し、この検出結果をレンズ制御部３１３へ出力する。ズーム位置検出部３０３は、フォトインタラプタ等を用いて構成される。
【００５９】
絞り３０４は、ズーム光学系３０１が集光した光の入射量を制限することにより露出の調整を行う。
【００６０】
絞り駆動部３０５は、レンズ制御部３１３の制御のもと、絞り３０４を駆動することにより、撮像装置１の絞り値（ｆ値）を変更する。絞り駆動部３０５は、ステッピングモータ等を用いて構成される。
【００６１】
絞り値検出部３０６は、絞り３０４の現在の状態から絞り値を検出し、この検出結果をレンズ制御部３１３へ出力する。絞り値検出部３０６は、フォトインタラプタやエンコーダ等を用いて構成される。
【００６２】
フォーカス光学系３０７は、一または複数のレンズを用いて構成され、レンズ部３の光軸Ｏ１上に沿って移動することにより、レンズ部３のピント位置を変更する。
【００６３】
フォーカス駆動部３０８は、レンズ制御部３１３の制御のもと、フォーカス光学系３０７を光軸Ｏ１に沿って移動させることにより、レンズ部３のピント位置を調整する。フォーカス駆動部３０８は、ＤＣモータやステッピングモータ等を用いて構成される。
【００６４】
フォーカス位置検出部３０９は、光軸Ｏ１上におけるフォーカス光学系３０７の位置を検出し、この検出結果をレンズ制御部３１３へ出力する。フォーカス位置検出部３０９は、フォトインタラプタ等を用いて構成される。
【００６５】
レンズ操作部３１０は、レンズ部３のレンズ鏡筒の周囲に設けられる操作リングであり、レンズ部３における光学ズームの変更を指示する指示信号の入力またはレンズ部３におけるピント位置の調整を指示する指示信号の入力を受け付ける。なお、レンズ操作部３１０は、プッシュ式のスイッチやレバー式のスイッチ等であってもよい。
【００６６】
レンズＦｌａｓｈメモリ３１１は、ズーム光学系３０１、絞り３０４およびフォーカス光学系３０７の位置および動きをそれぞれ決定するための制御プログラム、レンズ部３のレンズ特性および各種パラメータを記録する。ここで、レンズ特性とは、レンズ部３の色収差、明るさ情報（ｆ値）および焦点距離情報（たとえば１２ｍｍ〜６００ｍｍ）である。
【００６７】
レンズ通信部３１２は、レンズ部３が本体部２に装着された際に、本体部２の本体通信部２２３と通信を行うための通信インターフェースである。レンズ通信部３１２には、本体部２との電気的な接点も含まれる。
【００６８】
レンズ制御部３１３は、ＣＰＵ等を用いて構成される。レンズ制御部３１３は、レンズ操作部３１０からの指示信号または本体部２からの指示信号に応じてレンズ部３の動作を制御する。具体的には、レンズ制御部３１３は、レンズ操作部３１０からの指示信号に応じて、フォーカス駆動部３０８を駆動させてフォーカス光学系３０７によるピント調整やズーム駆動部３０２を駆動させてズーム光学系３０１の光学ズームのズーム倍率の変更を行う。なお、レンズ制御部３１３は、レンズ部３が本体部２に装着された際に、レンズ部３のレンズ特性およびレンズ部３を識別する識別情報を周期的に本体部２に送信してもよい。さらに、レンズ制御部３１３は、撮像素子２０３が画像データを生成するフレームレートに同期してレンズ情報を本体部２に送信してもよい。
【００６９】
以上の構成を有する撮像装置１が実行する処理について説明する。図４は、撮像装置１が実行する処理の概要を示すフローチャートである。
【００７０】
図４に示すように、撮像装置１が撮影モードに設定されている場合（ステップＳ１０１：Ｙｅｓ）、本体制御部２２５は、バス２２４、本体通信部２２３、レンズ通信部３１２およびレンズ制御部３１３を介してレンズ部３のレンズ情報を取得する（ステップＳ１０２）。ここで、レンズ情報には、少なくともレンズ部３の現在の焦点距離情報が含まれる。
【００７１】
続いて、撮像制御部２２５ｂは、撮像素子駆動部２０４を駆動させて撮像素子２０３に撮像させる（ステップＳ１０３）。
【００７２】
その後、アイセンサ２１６が撮影者を検出した場合（ステップＳ１０４：Ｙｅｓ）、撮像装置１は、後述するステップＳ１１１へ移行する。これに対して、アイセンサ２１６が撮影者を検出していない場合（ステップＳ１０４：Ｎｏ）、撮像装置１は、後述するステップＳ１０５へ移行する。
【００７３】
ステップＳ１０５において、表示制御部２２５ｃは、背面表示部２１７に撮像素子２０３が生成した画像データに対応するライブビュー画像を表示させる。
【００７４】
図５Ａは、撮像装置１の背面表示部２１７が表示するライブビュー画像を見ながら被写体のフレーミングを行う際の状況を模式的に示す図である。図５Ｂは、撮像装置１の背面表示部２１７が表示するライブビュー画像を見ながらレンズ部３の広角側で被写体のフレーミングを行う際の状況を模式的に示す図である。図５Ｃは、撮像装置１の背面表示部２１７が表示するライブビュー画像を見ながら被写体を撮影した際の状況を模式的に示す図である。なお、図５Ａにおいて、領域Ｚ１がレンズ部３による撮影可能な最大画角を示し、領域Ｚ２がレンズ部３の現在の画角を示す。
【００７５】
図５Ａに示すように、撮影者が撮像装置１で鳥等の被写体Ａ１を画像Ｗ１のような構図で撮影しようとする際、図５Ｂに示すように、撮影者は、まず、レンズ操作部３１０を操作してレンズ部３の画角を広角側にし、レンズ部３の画角内に被写体Ａ１が入るようにライブビュー画像Ｗ２を見ながら撮像装置１の撮像方向を移動させるとともに、徐々にレンズ部３の画角を望遠側に絞り込みながら被写体Ａ１の構図を決めて撮影を行う。この場合、撮影者は、被写体Ａ１の飛翔コースまたは移動速度に合わせてレンズ部３の画角や撮像装置１の撮像方向を合わせながら撮影を試みるが、被写体Ａ１の飛翔コースがランダムで被写体Ａ１の移動速度が速い場合には、レンズ部３の画角を被写体に合わせることが難しいため、被写体Ａ１をレンズ部３の画角外に逃がしてしまい、図５Ｃに示す画像Ｗ３のような撮影しかできなかったり、最悪の場合、被写体Ａ１を見失ったりした。これは、背面表示部２１７に表示されるライブビュー画像がレンズ部３の現在の画角（撮像画角）で表示されること、撮像素子２０３が画像データを生成してから背面表示部２１７で表示されるまでのタイムラグまたは撮影者の操作から撮像装置１に反映されるまでのタイムラグである。
【００７６】
ステップＳ１０６において、表示制御部２２５ｃは、内蔵表示部２１５ａの表示を停止させる。これにより、撮影者が背面表示部２１７によって表示されるライブビュー画像を見ながら被写体のフレーミングを行う際に、内蔵表示部２１５ａによる消費電力を抑えることができる。
【００７７】
その後、タッチパネル２１１ｇを介して背面表示部２１７の画面内がタッチされた場合（ステップＳ１０７：Ｙｅｓ）、撮像制御部２２５ｂは、撮像装置１に静止画撮影を実行させる（ステップＳ１０８）。この際、撮像制御部２２５ｂは、位置情報検出部２１２が検出した位置情報、方位検出部２１３が検出した方位情報および時計２１８から入力される日時情報を画像データに対応付けて記録媒体２１９に記録する。
【００７８】
続いて、電源スイッチ２１１ａが操作され、撮像装置１の電源がオフになった場合（ステップＳ１０９：Ｙｅｓ）、撮像装置１は、本処理を終了する。これに対して、電源スイッチ２１１ａが操作されず、撮像装置１の電源がオフになっていない場合（ステップＳ１０９：Ｎｏ）、撮像装置１は、ステップＳ１０１へ戻る。
【００７９】
ステップＳ１０７において、タッチパネル２１１ｇを介して背面表示部２１７の画面内がタッチされていない場合（ステップＳ１０７：Ｎｏ）において、レリーズスイッチ２１１ｂからレリーズ信号が入力されたとき（ステップＳ１１０：Ｙｅｓ）、撮像装置１は、ステップＳ１０８へ移行する。
【００８０】
ステップＳ１０７において、タッチパネル２１１ｇを介して背面表示部２１７の画面内がタッチされていない場合（ステップＳ１０７：Ｎｏ）において、レリーズスイッチ２１１ｂからレリーズ信号が入力されていないとき（ステップＳ１１０：Ｎｏ）、撮像装置１は、ステップＳ１０９へ移行する。
【００８１】
ステップＳ１１１において、表示制御部２２５ｃは、背面表示部２１７を停止させる。これにより、撮影者が接眼表示部２１５を介して被写体のフレーミングを行う際に、背面表示部２１７による消費電力を抑えることができる。
【００８２】
続いて、画角算出部２２５ａは、レンズ部３のレンズ情報に基づいて、レンズ部３の現在の画角を算出する（ステップＳ１１２）。
【００８３】
その後、表示制御部２２５ｃは、内蔵表示部２１５ａに撮像素子２０３が生成した画像データに対応するライブビュー画像を表示させ（ステップＳ１１３）、画角算出部２２５ａによって算出された画角に対応する枠をライブビュー画像上に重畳して内蔵表示部２１５ａに表示させる（ステップＳ１１４）。図４のステップＳ１１４の後、撮像装置１は、ステップＳ１１０へ移行する。
【００８４】
図６は、撮像装置１の接眼表示部２１５で被写体のフレーミングを確認しながら撮影を行う際の状況を模式的に示す図である。図７は、内蔵表示部２１５ａが表示する画像の一例を示す図である。図８は、撮影者が接眼表示部２１５を介して視認する画像の一例を示す図である。
【００８５】
図６に示すように、撮影者は、接眼部２１５ｃおよび光学素子２１５ｂを介して撮像装置１の視野領域を視認することができる。この場合、図７に示すように、表示制御部２２５ｃは、撮像素子２０３が生成した画像データに対応するライブビュー画像を縮小した縮小画像Ｍ１１を遮光部２１５ｄに対応する内蔵表示部２１５ａの表示領域に表示させるとともに、画角算出部２２５ａが算出した画角に対応する枠Ｔ１を内蔵表示部２１５ａに表示させる。このとき、光学素子２１５ｂには、内蔵表示部２１５ａの表示画像が投影されることで、内蔵表示部２１５ａで表示される表示画像が撮像装置１の視野領域または視野領域付近に枠Ｔ１の虚像を生じさせることができる。これにより、枠Ｔ１を所望の被写体Ａ１に照準することで、図８に示す被写体Ａ１に対して所望のフレーミングを行うことができる。さらに、図８に示すように、撮影者は、接眼部２１５ｃおよび光学素子２１５ｂを介して視野領域の広い視野で確認しつつ、枠Ｔ１で被写体Ａ１を照準しながら実際に撮影できる画像Ｍ１１の構図も確認することができる。これにより、撮像装置１が望遠撮影であっても、所望の被写体Ａ１に照準しながら、被写体Ａ１に対するフレーミングを行うことができる。
【００８６】
ステップＳ１０１において、撮像装置１が撮影モードに設定されていない場合（ステップＳ１０１：Ｎｏ）において、撮像装置１が再生モードに設定されているとき（ステップＳ１１５：Ｙｅｓ）、撮像装置１は、記録媒体２１９に記録された画像データを再生する再生表示処理を実行する（ステップＳ１１６）。ステップＳ１１６の後、撮像装置１は、ステップＳ１０９へ移行する。
【００８７】
ステップＳ１０１において、撮像装置１が撮影モードに設定されていない場合（ステップＳ１０１：Ｎｏ）において、撮像装置１が再生モードに設定されていないとき（ステップＳ１１５：Ｎｏ）、撮像装置１は、ステップＳ１０９へ移行する。
【００８８】
以上説明した本発明の実施の形態１によれば、光学素子２１５ｂが撮像装置１の視野領域からの光を透過するとともに、内蔵表示部２１５ａが表示する情報を撮像装置１の前面と相反する背面側に向けて反射することによって撮像装置１の視野領域内に内蔵表示部２１５ａが表示する情報の虚像を生じさせるので、望遠撮影時に所望の被写体に照準することができる。
【００８９】
また、本発明の実施の形態１によれば、表示制御部２２５ｃがレンズ部３の画角に応じた枠を内蔵表示部２１５ａに表示させるので、接眼表示部２１５で被写体のフレーミングを確認しながら撮影することができる。
【００９０】
また、本発明の実施の形態１によれば、表示制御部２２５ｃが撮像素子２０３によって生成された画像データに対応するライブビュー画像を内蔵表示部２１５ａに表示させるので、被写体に対するフレーミングを直感的に把握することができる。
【００９１】
また、本発明の実施の形態１によれば、表示制御部２２５ｃが光学素子２１５ｂの一部を遮光する遮光部２１５ｄの領域に対応する内蔵表示部２１５ａの表示領域に縮小したライブビュー画像を表示させるので、望遠時であっても、光学素子２１５ｂを介して実際に撮影される被写体の構図を確認しながら所望の被写体の撮影を行うことができる。
【００９２】
なお、本発明の実施の形態１では、表示制御部２２５ｃが光学素子２１５ｂの曲面に基づいて、内蔵表示部２１５ａに表示させる画像の形状を補正して表示させてもよい。この場合、表示制御部２２５ｃは、内蔵表示部２１５ａに表示させる画像に対して、台形補正処理を施して内蔵表示部２１５ａに表示させればよい。さらに、表示制御部２２５ｃは、レンズ部３の光軸Ｏ１と接眼表示部の光軸Ｏ２との視差に基づいて、内蔵表示部２１５ａに表示させる画像に対して、収差を補正する収差補正を施して内蔵表示部２１５ａに表示させてもよい。
【００９３】
（実施の形態２）
つぎに、本発明の実施の形態２について説明する。本実施の形態２にかかる撮像装置は、上述した実施の形態１にかかる撮像装置の接眼表示部の構成および撮像装置が実行する処理が異なる。このため、以下においては、本実施の形態２にかかる撮像装置の接眼表示部の構成を説明後、本実施の形態２にかかる撮像装置が実行する処理について説明する。なお、上述した実施の形態１にかかる撮像装置１と同一の構成には同一の符号を付して説明を省略する。
【００９４】
図９は、本発明の実施の形態２にかかる撮像装置の機能構成を示すブロックである。図９に示す撮像装置１００は、本体部１０１と、レンズ部３と、を備える。
【００９５】
本体部１０１は、シャッタ２０１と、シャッタ駆動部２０２と、撮像素子２０３と、撮像素子駆動部２０４と、信号処理部２０５と、Ａ／Ｄ変換部２０６と、画像処理部２０７と、ＡＥ処理部２０８と、ＡＦ処理部２０９と、画像圧縮展開部２１０と、入力部２１１と、位置情報検出部２１２と、方位検出部２１３と、モーション検出部２１４と、アイセンサ２１６と、背面表示部２１７と、時計２１８と、記録媒体２１９と、メモリＩ／Ｆ２２０と、ＳＤＲＡＭ２２１と、Ｆｌａｓｈメモリ２２２と、本体通信部２２３と、バス２２４と、接眼表示部４００と、本体制御部４０１と、を備える。
【００９６】
接眼表示部４００は、内蔵表示部２１５ａと、光学素子２１５ｂと、接眼部２１５ｃと、遮光部４００ａと、遮光駆動部４００ｂと、を備える。
【００９７】
遮光部４００ａは、接眼表示部４００の光軸Ｏ２上であって、光学素子２１５ｂの前面に設けられる。遮光部４００ａは、光軸Ｏ２上に進退可能に設けられ、光学素子２１５ｂを遮光状態または撮像装置１００の視野領域からの光を透過可能に切り換える。遮光部４００ａは、メカシャッタまたは液晶シャッタ等を用いて構成される。
【００９８】
遮光駆動部４００ｂは、本体制御部４０１の制御のもと、遮光部４００ａを接眼表示部４００の光軸Ｏ２上に移動させる。遮光駆動部４００ｂは、ステッピングモータやＤＣモータ等を用いて構成される。
【００９９】
本体制御部４０１は、撮像装置１００を構成する各部に対する指示やデータの転送等を行って撮像装置１００の動作を統括的に制御する。本体制御部４０１は、ＣＰＵ等を用いて構成される。本体制御部４０１は、画角算出部２２５ａと、撮像制御部２２５ｂと、表示制御部２２５ｃと、遮光制御部４０１ａと、を有する。
【０１００】
遮光制御部４０１ａは、入力部２１１から撮像装置１００の視野領域からの光を遮光する指示信号が入力された場合、遮光駆動部４００ｂを駆動させて遮光部４００ａに撮像装置１００の視野領域からの光を遮光させる。
【０１０１】
以上の構成を有する撮像装置１００が実行する処理について説明する。図１０は、撮像装置１００が実行する処理の概要を示すフローチャートである。
【０１０２】
図１０に示すように、ステップＳ２０１〜ステップＳ２１１は、図４のステップＳ１０１〜ステップＳ１１１にそれぞれ対応する。
【０１０３】
ステップＳ２１２において、本体制御部４０１は、撮像装置１００に構図確認モードが設定されているか否かを判断する。具体的には、本体制御部４０１は、アイセンサ２１６が撮影者を検出している場合において、レンズ操作部３１０から指示信号が入力されたか、またはタッチパネル２１１ｇを介して背面表示部２１７が表示するアイコンを選択する選択指示信号が入力されたか否かを判断する。本体制御部４０１が撮像装置１００に構図確認モードが設定されていると判断した場合（ステップＳ２１２：Ｙｅｓ）、撮像装置１００は、後述するステップＳ２１３へ移行する。これに対して、本体制御部４０１が撮像装置１００に構図確認モードが設定されていないと判断した場合（ステップＳ２１２：Ｎｏ）、撮像装置１は、後述するステップＳ２１５へ移行する。
【０１０４】
ステップＳ２１３において、遮光制御部４０１ａは、遮光駆動部４００ｂを駆動することによって、遮光部４００ａを閉じさせる（図１１を参照）。これにより、撮影者は、光学素子２１５ｂを介して撮像装置１の視野領域を視認できなくなる。
【０１０５】
続いて、表示制御部２２５ｃは、撮像素子２０３が生成した画像データに対応するライブビュー画像を内蔵表示部２１５ａに全画面表示させる（ステップＳ２１４）。具体的には、図１２に示すように、表示制御部２２５ｃは、撮像素子２０３が生成した画像データに対応するライブビュー画像Ｗ２０を内蔵表示部２１５ａに表示させる。これにより、撮影者は、接眼表示部４００を介して被写体Ａ１に対する構図を確認することができる。ステップＳ２１４の後、撮像装置１００は、ステップＳ２１０へ移行する。
【０１０６】
ステップＳ２１５において、遮光制御部４０１ａは、遮光駆動部４００ｂを駆動することによって、遮光部４００ａを開けさせる（図１３を参照）。これにより、図１４に示すように、撮影者は、光学素子２１５ｂを介して撮像装置１００の視野領域における所望の被写体Ａ１を確認しながら、レンズ部３の画角に対応する枠Ｔ１を用いて被写体Ａ１に照準することができる。
【０１０７】
ステップＳ２１６〜ステップＳ２２０は、図４のステップＳ１１２〜ステップＳ１１６にそれぞれ対応する。
【０１０８】
以上説明した本発明の実施の形態２によれば、表示制御部２２５ｃがレンズ部３の画角に応じた枠を内蔵表示部２１５ａに表示させるので、接眼表示部４００で被写体のフレーミングを確認しながら撮影することができる。
【０１０９】
（実施の形態３）
つぎに、本発明の実施の形態３について説明する。本実施の形態３にかかる撮像装置は、上述した実施の形態２にかかる撮像装置１００のＦｌａｓｈメモリおよび本体制御部の構成および撮像装置が実行する処理が異なる。このため、以下においては、本実施の形態３にかかる撮像装置のＦｌａｓｈメモリおよび本体制御部の構成を説明後、本実施の形態３にかかる撮像装置が実行する処理について説明する。なお、上述した実施の形態２にかかる撮像装置１００と同一の構成には同一の符号を付して説明を省略する。
【０１１０】
図１５は、本発明の実施の形態３にかかる撮像装置の機能構成を示すブロック図である。図１５に示す撮像装置１１０は、本体部１１１と、レンズ部３と、を備える。
【０１１１】
本体部１１１は、シャッタ２０１と、シャッタ駆動部２０２と、撮像素子２０３と、撮像素子駆動部２０４と、信号処理部２０５と、Ａ／Ｄ変換部２０６と、画像処理部２０７と、ＡＥ処理部２０８と、ＡＦ処理部２０９と、画像圧縮展開部２１０と、入力部２１１と、位置情報検出部２１２と、方位検出部２１３と、モーション検出部２１４と、アイセンサ２１６と、背面表示部２１７と、時計２１８と、記録媒体２１９と、メモリＩ／Ｆ２２０と、ＳＤＲＡＭ２２１と、本体通信部２２３と、バス２２４と、接眼表示部４００と、Ｆｌａｓｈメモリ５０１と、本体制御部５０２と、を備える。
【０１１２】
Ｆｌａｓｈメモリ５０１は、プログラム記録部２２２ａと、ランドマーク情報記録部５０１ａと、を有する。ランドマーク情報記録部５０１ａは、複数のランドマーク（Landmark）の位置情報、方位情報、名称および標高等を含むランドマーク情報と各ランドマーク画像データとを対応付けて記録する。ここで、ランドマーク画像データは、ランドマークを撮影した画像データ、サムネイル画像データ、デフォルメした画像、文字および写真のいずれかである。また、方位情報は、所定の撮影位置から見たランドマークの方位、たとえば北や南等である。また、位置情報は、ランドマークの経度および緯度である。
【０１１３】
本体制御部５０２は、撮像装置１１０を構成する各部に対する指示やデータの転送等を行って撮像装置１１０の動作を統括的に制御する。本体制御部５０２は、ＣＰＵ等を用いて構成される。本体制御部５０２は、画角算出部２２５ａと、遮光制御部４０１ａと、撮像制御部２２５ｂと、表示制御部２２５ｃと、ランドマーク検索部５０２ａと、を有する。
【０１１４】
ランドマーク検索部５０２ａは、位置情報検出部２１２が取得した位置情報および方位検出部２１３が検出した方位情報に基づいて、撮像素子２０３が生成する画像データに対応する画像内に写るランドマークのランドマーク情報を検出する。
【０１１５】
以上の構成を有する撮像装置１１０が実行する処理について説明する。図１６は、撮像装置１１０が実行する処理の概要を示すフローチャートである。
【０１１６】
図１６に示すように、ステップＳ３０１〜３１５は、図１０のステップＳ２０１〜ステップＳ２１５にそれぞれ対応する。
【０１１７】
ステップＳ３１６において、ランドマーク検索部５０２ａは、位置情報検出部２１２が検出した位置情報、方位検出部２１３が検出した方位情報およびモーション検出部２１４が検出した仰角をそれぞれ取得する。
【０１１８】
続いて、画角算出部２２５ａは、レンズ部３から取得したレンズ情報に基づいて、現在のレンズ部３の画角を算出する（ステップＳ３１７）。
【０１１９】
その後、ランドマーク検索部５０２ａは、レンズ部３の最大画角内（ワイド端）におけるランドマークを判定し（ステップＳ３１８）、ランドマーク情報記録部５０１ａから判定したランドマーク情報を取得する（ステップＳ３１９）。
【０１２０】
続いて、表示制御部２２５ｃは、ランドマーク検索部５０２ａがランドマーク情報記録部５０１ａから取得したランドマーク情報を内蔵表示部２１５ａに表示し（ステップＳ３２０）、画角算出部２２５ａが算出したレンズ部３の現在の画角に対応する枠を内蔵表示部２１５ａに表示させる（ステップＳ３２１）。
【０１２１】
図１７は、撮影者が接眼表示部４００を介して視認する画像の一例を示す図である。図１７（ａ）に示すように、表示制御部２２５ｃは、ランドマーク検索部５０２ａが取得したランドマーク情報Ｍ２０およびレンズ部３の画角に対応する枠Ｔ１を内蔵表示部２１５ａに表示させる。この場合、表示制御部２２５ｃは、位置情報検出部２１２が検出した位置情報、方位検出部２１３が検出した方位情報およびモーション検出部２１４が検出した仰角に基づいて、ランドマーク情報Ｍ２０をランドマークとしての被写体Ａ２付近の内蔵表示部２１５ａの表示領域に表示させる。これにより、撮影者は、接眼表示部４００を介して撮像装置１１０の視野領域内におけるランドマークを直感的に把握することができる。
【０１２２】
さらに、撮影者は、撮像装置１１０の撮像方向を移動させて、枠Ｔ１を被写体Ａ２に合わせ、レンズ操作部３１０を操作してレンズ部３の画角を変更することで（図１７（ａ）→図１７（ｂ）→図１７（ｃ））、被写体Ａ２に対して所望のフレーミングを行った撮影を行うことができる（画像Ｗ３１→画像Ｗ３２→画像Ｗ３３）。この場合、表示制御部２２５ｃは、入力部２１１から入力された指示信号に応じたランドマーク情報のみを内蔵表示部２１５ａに表示させてもよい。
【０１２３】
さらにまた、表示制御部２２５ｃは、ランドマークの種別およびランドマークと撮像装置１１０との距離に基づいて、撮像装置１１０の視野領域内におけるランドマークを選択して内蔵表示部２１５ａにランドマーク情報を表示させてもよい。たとえば、表示制御部２２５ｃは、３０００ｍ級の山なら１００ｋｍ先まで選択して内蔵表示部２１５ａに表示させるとともに、１０００ｍ級の山なら５０ｋｍ先まで選択して内蔵表示部２１５ａに表示させてもよい。ステップＳ３２１の後、撮像装置１１０は、ステップＳ３１０へ移行する。
【０１２４】
ステップＳ３２３およびステップＳ３２４は、図１０のステップＳ２１９およびステップＳ２２０にそれぞれ対応する。
【０１２５】
以上説明した本発明の実施の形態３によれば、表示制御部２２５ｃがレンズ部３の画角に応じた枠を内蔵表示部２１５ａに表示させるので、接眼表示部４００で被写体のフレーミングを確認しながら撮影することができる。
【０１２６】
また、本発明の実施の形態３によれば、表示制御部２２５ｃがランドマーク検索部５０２ａによってランドマーク情報記録部５０１ａから検索されたランドマーク情報を内蔵表示部２１５ａに表示させるので、接眼表示部４００で被写体のフレーミングを確認しながらレンズ部３の画角内に写るランドマークを直感的に把握することができる。
【０１２７】
（その他の実施の形態）
なお、本発明では、表示制御部２２５ｃが視野領域の明るさに基づいて、内蔵表示部２１５ａの明るさや枠の大きさを調整してもよい。これにより、撮像装置１の環境に最適な明るさで被写体を照準することができる。
【０１２８】
また、本発明では、表示制御部２２５ｃがレンズ部３の画角に対応する枠の位置を入力部２１１から入力される指示信号に応じて変更してもよい。これにより、レンズ部３の光軸Ｏ１と接眼表示部２１５の光軸との視差を補正することができる。
【０１２９】
また、本発明では、表示制御部２２５ｃが被写体の種別、たとえば顔や動物毎に画角に対応する枠の色や形状等を変更して内蔵表示部２１５ａに表示させてもよい。
【０１３０】
また、本発明では、表示制御部２２５ｃが撮像装置のＡＦ領域にレンズ部３の画角に応じた光束を内蔵表示部２１５ａに表示させてもよい。
【０１３１】
また、本発明では、光学素子２１５ｂとしてハーフミラーを用いていたが、たとえば誘電多層膜を設けたホログラフィック素子で構成された導光板と、プリズム等を組み合わせて構成してもよい。
【０１３２】
また、本発明にかかる撮像装置は、レンズを着脱自在なデジタル一眼レフカメラ以外にも、レンズ一体型のデジタルカメラ、デジタルビデオカメラおよび撮像機能を有する携帯電話やタブレット型携帯機器等の電子機器にも適用することができる。
【０１３３】
また、本発明にかかる撮像装置は、表示部が本体部に一体型のデジタルカメラ以外にも、表示部が本体部の背面に対して回動可能なデジタルカメラ、デジタル一眼レフカメラおよびデジタルビデオカメラ等に適用することができる。
【０１３４】
また、本発明にかかる撮像装置に実行させるプログラムは、インストール可能な形式または実行可能な形式のファイルデータでＣＤ−ＲＯＭ、フレキシブルディスク（ＦＤ）、ＣＤ−Ｒ、ＤＶＤ（Digital  Versatile  Disk）、ＵＳＢ媒体、フラッシュメモリ等のコンピュータで読み取り可能な記録媒体に記録されて提供される。
【０１３５】
また、本発明にかかる撮像装置に実行させるプログラムは、ネットワーク経由でダウンロードしてＦｌａｓｈメモリや記録媒体等に記録させてもよい。さらに、本発明にかかる撮像装置に実行させるプログラムをインターネット等のネットワーク経由で提供または配布するように構成しても良い。
【０１３６】
なお、本明細書におけるフローチャートの説明では、「まず」、「その後」、「続いて」等の表現を用いてステップ間の処理の前後関係を明示していたが、本発明を実施するために必要な処理の順序は、それらの表現によって一意的に定められるわけではない。すなわち、本明細書で記載したフローチャートにおける処理の順序は、矛盾のない範囲で変更することができる。
【０１３７】
このように、本発明は、ここでは記載していない様々な実施の形態を含みうるものであり、特許請求の範囲によって特定される技術的思想の範囲内で種々の設計変更等を行うことが可能である。
【符号の説明】
【０１３８】
１，１００，１１０  撮像装置
２，１０１，１１１  本体部
３  レンズ部
２０１  シャッタ
２０２  シャッタ駆動部
２０３  撮像素子
２０４  撮像素子駆動部
２０５  信号処理部
２０６  Ａ／Ｄ変換部
２０７  画像処理部
２０８  ＡＥ処理部
２０９  ＡＦ処理部
２１０  画像圧縮展開部
２１１  入力部
２１１ａ  電源スイッチ
２１１ｂ  レリーズスイッチ
２１１ｃ  モードスイッチ
２１１ｄ  メニュースイッチ
２１１ｅ  動画スイッチ
２１１ｆ  再生スイッチ
２１１ｇ  タッチパネル
２１２  位置情報検出部
２１３  方位検出部
２１４  モーション検出部
２１５，４００  接眼表示部
２１５ａ  内蔵表示部
２１５ｂ  光学素子
２１５ｃ  接眼部
２１５ｄ，４００ａ  遮光部
２１６  アイセンサ
２１７  背面表示部
２１８  時計
２１９  記録媒体
２２０  メモリＩ／Ｆ
２２１  ＳＤＲＡＭ
２２２，５０１  Ｆｌａｓｈメモリ
２２２ａ  プログラム記録部
２２３  本体通信部
２２４  バス
２２５，４０１，５０２  本体制御部
２２５ａ  画角算出部
２２５ｂ  撮像制御部
２２５ｃ  表示制御部
４００ｂ  遮光駆動部
４０１ａ  遮光制御部
５０１ａ  ランドマーク情報記録部
５０２ａ  ランドマーク検索部
【図１】
2014224861.tif 000003
【図２】
2014224861.tif 000004
【図３】
2014224861.tif 000005
【図４】
2014224861.tif 000006
【図５Ａ】
2014224861.tif 000007
【図５Ｂ】
2014224861.tif 000008
【図５Ｃ】
2014224861.tif 000009
【図６】
2014224861.tif 000010
【図７】
2014224861.tif 000011
【図８】
2014224861.tif 000012
【図９】
2014224861.tif 000013
【図１０】
2014224861.tif 000014
【図１１】
2014224861.tif 000015
【図１２】
2014224861.tif 000016
【図１３】
2014224861.tif 000017
【図１４】
2014224861.tif 000018
【図１５】
2014224861.tif 000019
【図１６】
2014224861.tif 000020
【図１７】
2014224861.tif 000021